(57)【要約】【課題】時間制限無しで開状態を維持することも可能な弾球遊技機の入賞装置を提供すること。【解決手段】入賞装置１は、キープソレノイド１１で羽根状開閉部材７，９を駆動する構造になっている。キープソレノイド１１は、第１の通電状態にされるとプランジャ１１ａを吸引して第１の位置から第２の位置へ変位させ、永久磁石の磁力でプランジャ１１ａを第２の位置に保持する。また、第２の通電状態にされると、永久磁石の磁力を打ち消すように励磁され、バネ１１ｃの付勢力でプランジャ１１ａを第２の位置から第１の位置へ変位させる。第１，第２の位置への変位後は、無通電状態にされても、プランジャ１１ａは永久磁石またはバネ１１ｃの力で保持されて第１，第２の位置から変位しないので、時間制限無しで開状態を維持しても、キープソレノイド１１の過熱や焼損を招くことがない。【選択図】  図２
2004267284.tif 000002
【特許請求の範囲】
【請求項１】
遊技球の入口を開放または拡大する開位置、または前記入口を閉鎖または縮小する閉位置に変位可能な開閉部材と、第１の位置または第２の位置へ移動可能な可動部を有するソレノイドとを備えており、該ソレノイドの可動部が前記第２の位置へ変位するのに連動して前記開閉部材が前記開位置へ変位する一方、前記可動部が前記第１の位置へ変位するのに連動して前記開閉部材が前記閉位置へ変位するように構成された弾球遊技機の入賞装置において、
前記ソレノイドが、第１の通電状態にされると前記可動部を前記第１の位置から前記第２の位置へ変位させる一方、第２の通電状態にされると前記可動部を前記第２の位置から前記第１の位置へ変位させる構造で、前記可動部を前記第１，第２の位置へ変位させた後は、無通電状態にされても前記可動部を変位後の位置で保持可能なキープソレノイドである
ことを特徴とする弾球遊技機の入賞装置。
【請求項２】
弾球遊技機が備える制御装置によって制御されて、遊技の進行に伴って第１の条件が成立したら、前記第１の通電状態とされ、該第１の通電状態とされたことによって前記可動部が前記第２の位置へ変位したら、無通電状態にされる一方、遊技の進行に伴って第２の条件が成立したら、前記第２の通電状態とされ、該第２の通電状態とされたことによって前記可動部が前記第１の位置へ変位したら、無通電状態にされる
ことを特徴とする請求項１に記載の弾球遊技機の入賞装置。
【請求項３】
前記開閉部材が前記開位置にある状態で、入賞した遊技球の数が所定の数に達した場合に、前記第２の条件が成立する
ことを特徴とする請求項２に記載の弾球遊技機の入賞装置。
【請求項４】
前記開閉部材が前記閉位置にある状態で遊技球が入賞した場合に、前記第１の条件が成立する一方、前記開閉部材が前記開位置にある状態で遊技球が入賞した場合に、前記第２の条件が成立する
ことを特徴とする請求項２に記載の弾球遊技機の入賞装置。
【発明の詳細な説明】
【０００１】
【発明の属する技術分野】
本発明は、弾球遊技機の入賞装置に関する。
【０００２】
【従来の技術】
従来、入口となる箇所に配設された開閉部材を開閉動作させて、入口を開放（または拡大）したり閉鎖（または縮小）したりするように構成された入賞装置が知られている（例えば、特許文献１参照。）。
【０００３】
この種の入賞装置は、入賞装置の背面側にソレノイドが組み込まれていて、このソレノイドによって開閉部材を駆動している。
【０００４】
【特許文献１】
登録実用新案第３０１２８４１号公報
【０００５】
【発明が解決しようとする課題】
しかしながら、上記従来の入賞装置は、ソレノイドへの通電に伴って開閉部材が開位置へと変位する一方、通電を停止すると開閉部材が閉位置へと変位する構造になっていたため、開閉部材を開位置へ変位させた状態を長時間にわたって維持するとができなかった。すなわち、開閉部材を開位置へ変位させた状態を維持するためにソレノイドへの通電を長時間にわたって継続すると、場合によっては、ソレノイドの過熱や焼損を招くおそれがあるため、このような過熱や焼損を避けるには、通電時間を過剰に長時間にならないように制限せざるを得なかった。
【０００６】
そのため、従来の入賞装置では、遊技球が所定数入球するまでは、時間制限無しで開状態を維持する、といった動作態様の入賞装置を構成することができなかった。
本発明は、上記問題を解決するためになされたものであり、その目的は、時間制限無しで開状態を維持することも可能な弾球遊技機の入賞装置を提供することにある。
【０００７】
【課題を解決するための手段】
上述の目的を達成するため、本発明においては、以下に述べるような構成を採用した。
上記請求項１に記載の弾球遊技機の入賞装置は、
遊技球の入口を開放または拡大する開位置、または前記入口を閉鎖または縮小する閉位置に変位可能な開閉部材と、第１の位置または第２の位置へ移動可能な可動部を有するソレノイドとを備えており、該ソレノイドの可動部が前記第２の位置へ変位するのに連動して前記開閉部材が前記開位置へ変位する一方、前記可動部が前記第１の位置へ変位するのに連動して前記開閉部材が前記閉位置へ変位するように構成された弾球遊技機の入賞装置において、
前記ソレノイドが、第１の通電状態にされると前記可動部を前記第１の位置から前記第２の位置へ変位させる一方、第２の通電状態にされると前記可動部を前記第２の位置から前記第１の位置へ変位させる構造で、前記可動部を前記第１，第２の位置へ変位させた後は、無通電状態にされても前記可動部を変位後の位置で保持可能なキープソレノイドである
ことを特徴とする。
【０００８】
上記請求項２に記載の弾球遊技機の入賞装置は、上記請求項１に記載の入賞装置において、
弾球遊技機が備える制御装置によって制御されて、遊技の進行に伴って第１の条件が成立したら、前記第１の通電状態とされ、該第１の通電状態とされたことによって前記可動部が前記第２の位置へ変位したら、無通電状態にされる一方、遊技の進行に伴って第２の条件が成立したら、前記第２の通電状態とされ、該第２の通電状態とされたことによって前記可動部が前記第１の位置へ変位したら、無通電状態にされる
ことを特徴とする。
【０００９】
上記請求項３に記載の弾球遊技機の入賞装置は、上記請求項２に記載の入賞装置において、
前記開閉部材が前記開位置にある状態で、入賞した遊技球の数が所定の数に達した場合に、前記第２の条件が成立する
ことを特徴とする。
【００１０】
上記請求項４に記載の弾球遊技機の入賞装置は、上記請求項２に記載の入賞装置において、
前記開閉部材が前記閉位置にある状態で遊技球が入賞した場合に、前記第１の条件が成立する一方、前記開閉部材が前記開位置にある状態で遊技球が入賞した場合に、前記第２の条件が成立する
ことを特徴とする。
【００１１】
［作用、および発明の効果］
上記請求項１〜３の各請求項に記載の弾球遊技機の入賞装置は、開閉部材を駆動するための手段として、キープソレノイドを備えている。
このキープソレノイドは、自己保持型ソレノイドとも呼ばれるものであり、第１の通電状態にされると可動部を第１の位置から第２の位置へ変位させる一方、第２の通電状態にされると可動部を第２の位置から第１の位置へ変位させる構造になっていて、可動部を第１，第２の位置いずれかへ変位させた後は、無通電状態にされても可動部を変位後の位置で保持することができるものである。
【００１２】
このようなキープソレノイドとしては、例えば、コイルに通電すると（＝第１の通電状態に相当。）可動部であるプランジャが吸引されて第１の位置から第２の位置へ変位し、プランジャが永久磁石に磁着されて第２の位置で保持される一方、コイルに通電して（＝第２の通電状態に相当。）上記永久磁石の磁力を打ち消すとコイルスプリング等の力でプランジャが第２の位置から第１の位置へ変位し、プランジャがコイルスプリングに付勢されて第１の位置で保持される、といった構造のものを利用することができる。この場合、第１，第２の通電状態で同一のコイルに電流を流すのであれば、電流の向きは、第１の通電状態と第２の通電状態とで反対向きになる。また、第１，第２の通電状態で別々のコイルに電流を流す構成としてもよく、この場合は、いずれか一方のコイルにのみ電流が流れるように制御される。さらに、上記のようなコイルによる吸引構造を向かい合わせに２組配設した構造のソレノイドとすれば、第２の位置から第１の位置へ変位させる場合についても、コイルによる吸引を行うことができるので、この場合は、コイルスプリングの無い構造とすることもできる。
【００１３】
また、キープソレノイドの形態としては、上述のような、可動部であるプランジャを直線的に往復移動させるプランジャ型のもの以外にも、可動部であるフラッパーを揺動させるフラッパー型のものや、可動部である回動軸を回動させるロータリー型のものを考え得るので、これらはどれを利用してもよい。これら各形態毎に可動部の動きは異なるので、それぞれの形態に応じた動作伝達機構により、ソレノイドの可動部の動きを開閉部材の開閉動作に変換する必要があるのはもちろんである。
【００１４】
なお、この入賞装置に対する通電状態の制御は、通常、この入賞装置が取り付けられた遊技機が備えている制御装置によって実行される。この制御装置には、他の入賞装置や他の条件装置（例えば乱数発生器）なども接続され、制御装置は、この入賞装置への入賞、他の入賞装置への入賞、他の条件装置での条件成立などに応じて、遊技の進行に伴って上記第１，第２の条件が成立したと判断し、この入賞装置に対する通電制御を実行する。
【００１５】
以上のように構成された弾球遊技機の入賞装置によれば、キープソレノイドにて開閉部材を駆動しているので、開位置または閉位置のいずれか一方から他方へ開閉部材を移動させる際には、キープソレノイドを第１の通電状態または第２の通電状態とするものの、開閉部材が開位置または閉位置へ移動した後は、キープソレノイドを無通電状態としても、開閉部材は移動後の位置において保持される。そのため、開閉部材を開位置へ変位させた状態を維持する場合でも、キープソレノイドへの通電はごく短時間でよく、ソレノイドの過熱や焼損を招くおそれはない。
【００１６】
したがって、例えば、遊技球が所定数入球するまでは開状態を維持するといった動作態様の入賞装置や、遊技球が入賞するたびに交互に開状態となったり閉状態となったりするといった動作態様の入賞装置を構成した場合でも、開状態となっている時間を制限する必要はなく、その結果、従来の入賞装置では為し得なかったような遊技態様を持った遊技機を構成できるようになる。
【００１７】
特に、請求項３に記載の弾球遊技機の入賞装置は、前記開閉部材が前記開位置にある状態で、入賞した遊技球の数が所定の数に達した場合に、前記第２の条件が成立するように構成されるので、入賞した遊技球の数が所定の数に達していないにもかかわらず、時間制限で開閉部材が閉位置に変位してしまうことはなく、遊技客が安心して遊技を楽しむことができる。
【００１８】
また、請求項４に記載の弾球遊技機の入賞装置は、前記開閉部材が前記閉位置にある状態で遊技球が入賞した場合に、前記第１の条件が成立する一方、前記開閉部材が前記開位置にある状態で遊技球が入賞した場合に、前記第２の条件が成立するように構成されるので、いわゆるチューリップ型の入賞装置として構成することにより、非電動式のチューリップ型入賞装置と同様の動作態様とすることができる。
【００１９】
【発明の実施の形態】
次に、本発明の実施形態について一例を挙げて説明する。
図１（ａ）および同図（ｂ）に示すように、入賞装置１は、いわゆるチューリップ型の入賞装置であり、本体３と、本体３の正面側に設けられた遊技球受け５と、この遊技球受け５の上側で開閉動作する一対の羽根状開閉部材７，９とを備えている。また、入賞装置１は、図２（ａ）および同図（ｂ）に示すように、キープソレノイド１１と、キープソレノイド１１のプランジャ１１ａの動作に連動して軸１３ａを中心に回動するレバー１３と、レバー１３の動作に連動して軸１５ａを中心に回動するアーム１５とを備え、このアーム１５の先端にある爪部１５ｂが、羽根状開閉部材７，９の背面側に突設された連接桿１７に連接している。
【００２０】
羽根状開閉部材７，９は、それぞれが下端側にある軸７ａ，９ａを中心に相反する方向へ左右対称に回動し、上端間の間隔を左右方向へ拡大／縮小するものである。羽根状開閉部材７，９が上端間の間隔を縮小した際には、遊技盤上に打ち込まれた遊技釘（図示略）が障害物となって、遊技球が入賞装置１へまったく入らないかきわめて入りにくい状態になり、一方、羽根状開閉部材７，９が上端間の間隔を拡大した際には、遊技球が入賞装置１へ入りやすい状態になる。なお、図１（ｂ）においては、羽根状開閉部材７，９の回動範囲を示すために、図中左側には、羽根状開閉部材７が上端間の間隔を縮小する位置まで回動した状態を描いてあり、図中右側には、羽根状開閉部材９が上端間の間隔を拡大する位置まで回動した状態を描いてあるが、実際は、羽根状開閉部材７，９が、図示の如く左右非対称な位置に回動することはなく、常に左右対称な位置関係を維持したまま動作する。
【００２１】
羽根状開閉部材７，９の連接桿１７は、本体３に形成された遊技球通過穴２１の両脇にある凹部２３に通された状態で、本体３の内部に突出している。アーム１５の回動に伴って爪部１５ｂが上下方向に変位すると、連接桿１７は爪部１５ｂに従動して凹部２３内を移動し、その結果、羽根状開閉部材７，９が開閉動作する。
【００２２】
キープソレノイド１１は、可動部であるプランジャ１１ａと、金属製のケース１１ｂと、プランジャ１１ａの変位に伴ってプランジャ１１ａとケース１１ｂとの間で圧縮されるバネ１１ｃとを備えている。ケース１１ｂの内部には、２組のコイル（図示略）と永久磁石（図示略）が組み込まれており、一方のコイルに電流を流して第１の通電状態にすると、プランジャ１１ａがコイルに吸引されて第１の位置から第２の位置へ変位し、プランジャ１１ａが永久磁石に磁着されて第２の位置で保持される。また、他方のコイルに電流を流して第２の通電状態にすると、永久磁石の磁力が打ち消され、バネ１１ｃの力でプランジャ１１ａが第２の位置から第１の位置へ変位し、プランジャ１１ａがバネ１１ｃに付勢されて第１の位置で保持される。なお、本実施形態において、キープソレノイド１１は、プランジャ１１ａが前後方向に動作するように配設されているため、プランジャ１１ａが左右方向に動作するように配設されたものや、プランジャ１１ａが上下方向に動作するように配設されたものに比べ、入賞装置１の幅および高さはきわめてコンパクトになっている。
【００２３】
このように構成された入賞装置１において、キープソレノイド１１が無通電状態とされ、且つ、プランジャ１１ａがバネ１１ｃの力で付勢されてケース１１ｂから装置後方へ突出した状態（＝第１の位置に存在する状態）となっている時は、図２（ａ）に示すように、アーム１５は、爪部１５ｂを下方へ変位させ、羽根状開閉部材７，９は上端間の間隔を縮小した状態にある。
【００２４】
この状態において、キープソレノイド１１の一方のコイルに電流が流されると、プランジャ１１ａがコイルに吸引されてケース１１ｂの内部に引き込まれた状態（＝第２の位置に存在する状態）となる。また、プランジャ１１ａに連動して、レバー１３は図２（ａ）中に示した矢印Ａ１方向へ回動し、これに従動してアーム１５が図２（ａ）中に示した矢印Ａ２方向へ回動し、アーム１５が回動するのに伴って連接桿１７が上動し、図２（ｂ）に示すように、羽根状開閉部材７，９が上端間の間隔を拡大する向きに傾倒する。そして、この位置において、プランジャ１１ａは永久磁石に磁着されて変位しないように保持されるため、以後は、キープソレノイド１１が無通電状態とされてもプランジャ１１ａは変位しない。
【００２５】
次に、この状態において、キープソレノイド１１の他方のコイルに電流が流されると、コイルの励磁に伴って永久磁石の磁力が打ち消され、バネ１１ｃの力でプランジャ１１ａがケース１１ｂから装置後方へ突出し、図２（ａ）に示した状態に復帰する。プランジャ１１ａは、バネ１１ｃの力で付勢されて変位しないように保持されるため、以後は、キープソレノイド１１が無通電状態とされてもプランジャ１１ａは変位しない。
【００２６】
なお、遊技球受け５に遊技球が入ると、その遊技球は、遊技球通過穴２１から本体３の内部に入り、入賞装置１の下方へと転落する。本体３の内部では、アーム１５が、遊技球の通過経路の側壁を兼ねており、遊技球の側方への脱落が防止される。
【００２７】
以上のように構成された入賞装置１は、パチンコ機やアレンジボールなどの弾球遊技機の遊技盤上に配設され、この弾球遊技機での遊技の進行に伴って羽根状開閉部材７，９の動きが制御される。
例えば、遊技の進行に伴って他の入賞装置に遊技球が入賞したら（本発明でいう、第１の条件が成立したことに相当。）、入賞装置１は一時的に通電状態とされ、それによってプランジャ１１ａが変位して入賞装置１が開状態となったら、入賞装置１は無通電状態にされる。以後、入賞装置１は、開状態となっているものの、キープソレノイド１１は無通電状態なので、入賞装置１を閉状態に戻さなくても過熱や焼損を招くおそれはない。
【００２８】
そして、さらに遊技の進行に伴って入賞装置１に１０個の遊技球が入賞したら（本発明でいう、第２の条件が成立したことに相当。）、入賞装置１は一時的に通電状態とされ、それによってプランジャ１１ａが変位して入賞装置１が閉状態となったら、入賞装置１は無通電状態にされる。１０個の遊技球が入賞したことを閉動作の条件とした場合、１０個の遊技球が入賞する前に遊技が一時中断されると、入賞装置１は長時間にわたって開状態のままとされることになるが、キープソレノイド１１は無通電状態で過熱や焼損を招くおそれはないので、時間制限などによって入賞装置１を閉状態に戻さなくてもよい。
【００２９】
以上、本発明の実施形態について説明したが、本発明は上記の具体的な一実施形態に限定されず、この他にも種々の形態で実施することができる。
例えば、上記入賞装置１では、キープソレノイド１１を、プランジャ１１ａが装置後方へ突出するような向きにして配設してあったが、キープソレノイド１１の配設方向については限定されず、例えば、プランジャ１１ａが装置前方に向かって突出するような向きにしてもよいし、プランジャ１１ａが装置の左右いずれかに向かって突出するような向きにしてもよいし、プランジャ１１ａが装置の上下いずれかに向かって突出するような向きにしてもよい。このようにキープソレノイド１１の配設方向を変更した場合に、それに応じてキープソレノイド１１から羽根状開閉部材７，９に至る動力伝達機構の構造が最適化されるのはもちろんである。
【００３０】
また、上記入賞装置１では、プランジャ型のキープソレノイド１１を用いていたが、フラッパー型のソレノイドやロータリー型のソレノイドでキープソレノイドを構成することも可能であり、これらを用いても上記入賞装置１と同等に機能する入賞装置を構成することができる。このようにキープソレノイドの可動部の形態を変更した場合に、それに応じてキープソレノイドから羽根状開閉部材７，９に至る動力伝達機構の構造が最適化されるのももちろんである。
【００３１】
また、上記入賞装置１は、いわゆるチューリップ型の入賞装置であったが、本発明の構成は、ソレノイドを動力源として作動する電動式入賞装置であれば採用可能であり、例えば、アタッカー型の入賞装置において本発明の構成を採用してもよい。
【００３２】
また、上記入賞装置１は、入賞装置１に入った遊技球を遊技機の背面側へと通出させる入賞口を備えたものであったが、入口側から入った遊技球をそのまま下方へと通過させる通過ゲートにおいても、上記入賞装置１と同様なチューリップ型の可動機構を採用したものが知られており、このような通過ゲートに本発明を適用してもよい。
【図面の簡単な説明】
【図１】上記実施形態の弾球遊技機の入賞装置を示し、（ａ）はその正面図、（ｂ）は羽根状開閉部材の回動位置を示す概略図である。
【図２】（ａ）は羽根状開閉部材の上端間の間隔を縮小した状態を示す縦断面図、（ｂ）羽根状開閉部材の上端間の間隔を拡大した状態を示す縦断面図である。
【符号の説明】
１・・・入賞装置、３・・・本体、５・・・遊技球受け、７，９・・・羽根状開閉部材、１１・・・キープソレノイド、１１ａ・・・プランジャ、１１ｂ・・・ケース、１１ｃ・・・バネ、１３・・・レバー、１５・・・アーム、１７・・・連接桿、２１・・・遊技球通過穴、２３・・・凹部。
【図１】
2004267284.tif 000003
【図２】
2004267284.tif 000004